(57)【要約】【課題】  ログアウトがされた後に迅速に顔認証を実行することができる電子機器および顔認証プログラムを提供する。【解決手段】  ＭＦＰは、撮影デバイスと、撮影デバイスによって撮影された画像に基づいた顔認証のための顔認証プログラムを記憶する記憶部と、制御部とを備え、制御部は、顔認証用に撮影デバイスを顔認証プログラムの起動時に設定する撮影デバイス設定手段と、顔認証を特定の間隔で実行する顔認証実行手段と、顔認証の結果に基づいてログインを許可するログイン許可手段とを、顔認証プログラムを実行することによって実現し、ログイン許可手段は、ログインを許可してからログアウトがされるまでの間（Ｓ１４１でＹＥＳ）、顔認証の結果に基づいたログインの許可（Ｓ１４３）を停止することを特徴とする。【選択図】  図５
2019057154.tif 000002
【特許請求の範囲】
【請求項１】
撮影デバイスと、
前記撮影デバイスによって撮影された画像に基づいた顔認証のための顔認証プログラムを記憶する記憶デバイスと、
制御部と
を備え、
前記制御部は、
前記顔認証用に前記撮影デバイスを前記顔認証プログラムの起動時に設定する撮影デバイス設定手段と、
前記顔認証を特定の間隔で実行する顔認証実行手段と、
前記顔認証の結果に基づいてログインを許可するログイン許可手段と
を、前記顔認証プログラムを実行することによって実現し、
前記ログイン許可手段は、前記ログインを許可してからログアウトがされるまでの間、前記顔認証の結果に基づいた前記ログインの許可を停止することを特徴とする電子機器。
【請求項２】
通信デバイスを備え、
前記制御部は、前記顔認証を実行する顔認証サーバーとの前記通信デバイス経由の通信の設定を前記顔認証プログラムの起動時に実行する通信設定手段を、前記顔認証プログラムを実行することによって実現し、
前記顔認証実行手段は、前記顔認証を前記通信デバイス経由で前記顔認証サーバーに依頼することによって前記顔認証を実行することを特徴とする請求項１に記載の電子機器。
【請求項３】
前記顔認証実行手段は、前記ログインが許可されてから前記ログアウトがされるまでの間の前記特定の間隔を、前記ログアウトがされてから前記ログインが許可されるまでの間の前記特定の間隔より長くすることを特徴とする請求項１または請求項２に記載の電子機器。
【請求項４】
撮影デバイスを備えた電子機器によって実行される顔認証プログラムであって、
前記撮影デバイスによって撮影された画像に基づいた顔認証用に前記撮影デバイスを前記顔認証プログラムの起動時に設定する撮影デバイス設定手段と、
前記顔認証を特定の間隔で実行する顔認証実行手段と、
前記顔認証の結果に基づいてログインを許可するログイン許可手段と
を実現し、
前記ログイン許可手段は、前記ログインを許可してからログアウトがされるまでの間、前記顔認証の結果に基づいた前記ログインの許可を停止することを特徴とする顔認証プログラム。
【発明の詳細な説明】
【技術分野】
【０００１】
本発明は、撮影デバイスによって撮影された画像に基づいた顔認証を実行する電子機器および顔認証プログラムに関する。
【背景技術】
【０００２】
従来、撮影デバイスによって撮影された画像に基づいた顔認証を実行する電子機器として、顔認証の結果に基づいてログインを許可した後に顔認証を中断し、ログアウトがされた後に顔認証を再開するものが知られている（例えば、特許文献１参照。）。
【先行技術文献】
【特許文献】
【０００３】
【特許文献１】特許第５８５４０８１号公報
【発明の概要】
【発明が解決しようとする課題】
【０００４】
しかしながら、特許文献１に記載された電子機器においては、顔認証の結果に基づいてログインを許可した後に顔認証を中断するので、ログアウトがされた後に顔認証を再開する場合に、顔認証用に撮影デバイスを設定する必要があるので、ログアウトがされた後、顔認証を迅速に再開することができないという問題がある。
【０００５】
そこで、本発明は、ログアウトがされた後に迅速に顔認証を実行することができる電子機器および顔認証プログラムを提供することを目的とする。
【課題を解決するための手段】
【０００６】
本発明の電子機器は、撮影デバイスと、前記撮影デバイスによって撮影された画像に基づいた顔認証のための顔認証プログラムを記憶する記憶デバイスと、制御部とを備え、前記制御部は、前記顔認証用に前記撮影デバイスを前記顔認証プログラムの起動時に設定する撮影デバイス設定手段と、前記顔認証を特定の間隔で実行する顔認証実行手段と、前記顔認証の結果に基づいてログインを許可するログイン許可手段とを、前記顔認証プログラムを実行することによって実現し、前記ログイン許可手段は、前記ログインを許可してからログアウトがされるまでの間、前記顔認証の結果に基づいた前記ログインの許可を停止することを特徴とする。
【０００７】
この構成により、本発明の電子機器は、ログインを許可してからログアウトがされるまでの間、顔認証の結果に基づいたログインの許可を停止するので、ログインを許可した後に顔認証プログラムの実行を停止する必要がなく、その結果、ログアウトがされた後に顔認証プログラムを再び起動する必要もない。したがって、本発明の電子機器は、ログアウトがされた後に顔認証用に撮影デバイスを設定する必要がないので、ログアウトがされた後に迅速に顔認証を実行することができる。
【０００８】
本発明の電子機器は、通信デバイスを備え、前記制御部は、前記顔認証を実行する顔認証サーバーとの前記通信デバイス経由の通信の設定を前記顔認証プログラムの起動時に実行する通信設定手段を、前記顔認証プログラムを実行することによって実現し、前記顔認証実行手段は、前記顔認証を前記通信デバイス経由で前記顔認証サーバーに依頼することによって前記顔認証を実行しても良い。
【０００９】
この構成により、本発明の電子機器は、顔認証サーバーとの通信デバイス経由の通信の設定をログアウトがされた後に実行する必要がないので、ログアウトがされた後に迅速に顔認証を実行することができる。
【００１０】
本発明の電子機器において、前記顔認証実行手段は、前記ログインが許可されてから前記ログアウトがされるまでの間の前記特定の間隔を、前記ログアウトがされてから前記ログインが許可されるまでの間の前記特定の間隔より長くしても良い。
【００１１】
この構成により、本発明の電子機器は、ログインを許可してからログアウトがされるまでの間の顔認証の実行間隔を、ログアウトがされてからログインを許可するまでの間の顔認証の実行間隔より長くするので、ログインを許可してからログアウトがされるまでの間において、顔認証の実行による処理負担を軽減することができる。
【００１２】
本発明の顔認証プログラムは、撮影デバイスを備えた電子機器によって実行される顔認証プログラムであって、前記撮影デバイスによって撮影された画像に基づいた顔認証用に前記撮影デバイスを前記顔認証プログラムの起動時に設定する撮影デバイス設定手段と、前記顔認証を特定の間隔で実行する顔認証実行手段と、前記顔認証の結果に基づいてログインを許可するログイン許可手段とを実現し、前記ログイン許可手段は、前記ログインを許可してからログアウトがされるまでの間、前記顔認証の結果に基づいた前記ログインの許可を停止することを特徴とする。
【００１３】
この構成により、本発明の顔認証プログラムを実行する電子機器は、ログインを許可してからログアウトがされるまでの間、顔認証の結果に基づいたログインの許可を停止するので、ログインを許可した後に顔認証プログラムの実行を停止する必要がなく、その結果、ログアウトがされた後に顔認証プログラムを再び起動する必要もない。したがって、本発明の顔認証プログラムを実行する電子機器は、ログアウトがされた後に顔認証用に撮影デバイスを設定する必要がないので、ログアウトがされた後に迅速に顔認証を実行することができる。
【発明の効果】
【００１４】
本発明の電子機器および顔認証プログラムは、ログアウトがされた後に迅速に顔認証を実行することができる。
【図面の簡単な説明】
【００１５】
【図１】本発明の一実施の形態に係る顔認証システムのブロック図である。
【図２】図１に示すＭＦＰのブロック図である。
【図３】顔認証プログラムの起動時の、図２に示すＭＦＰの動作のフローチャートである。
【図４】図２に示す顔認証実行手段の動作のフローチャートである。
【図５】図２に示すログイン許可手段の動作のフローチャートである。
【発明を実施するための形態】
【００１６】
以下、本発明の実施の形態について、図面を用いて説明する。
【００１７】
まず、本発明の一実施の形態に係る顔認証システムの構成について説明する。
【００１８】
図１は、本実施の形態に係る顔認証システム１０のブロック図である。
【００１９】
図１に示すように、顔認証システム１０は、電子機器としてのＭＦＰ（Ｍｕｌｔｉｆｕｎｃｔｉｏｎ  Ｐｅｒｉｐｈｅｒａｌ）２０と、顔認証を実行する顔認証サーバー３０とを備えている。
【００２０】
ＭＦＰ２０と、顔認証サーバー３０とは、ＬＡＮ（Ｌｏｃａｌ  Ａｒｅａ  Ｎｅｔｗｏｒｋ）、インターネットなどのネットワーク経由で互いに通信可能である。
【００２１】
顔認証サーバー３０は、１つのコンピューターによって実現されていても良いし、複数のコンピューターによって実現されていても良い。
【００２２】
図２は、ＭＦＰ２０のブロック図である。
【００２３】
図２に示すように、ＭＦＰ２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、用紙などの記録媒体に画像を印刷する印刷デバイスであるプリンター２３と、原稿から画像を読み取る読取デバイスであるスキャナー２４と、図示していない外部のファクシミリ装置と公衆電話回線などの通信回線経由でファックス通信を行うファックスデバイスであるファックス通信部２５と、ネットワーク経由で、または、ネットワークを介さずに有線または無線によって直接に、外部の装置と通信を行う通信デバイスである通信部２６と、撮影デバイス２７と、各種の情報を記憶する半導体メモリー、ＨＤＤ（Ｈａｒｄ  Ｄｉｓｋ  Ｄｒｉｖｅ）などの不揮発性の記憶デバイスである記憶部２８と、ＭＦＰ２０全体を制御する制御部２９とを備えている。
【００２４】
撮影デバイス２７は、例えば、自身のＵＳＢコネクターがＭＦＰ２０のＵＳＢコネクターに挿し込まれることによってＭＦＰ２０と接続されるＵＳＢ（Ｕｎｉｖｅｒｓａｌ  Ｓｅｒｉａｌ  Ｂｕｓ）ウェブカメラであっても良い。
【００２５】
記憶部２８は、撮影デバイス２７によって撮影された画像に基づいた顔認証を実行するための顔認証プログラム２８ａを記憶している。顔認証プログラム２８ａは、例えば、ＭＦＰ２０の製造段階でＭＦＰ２０にインストールされていても良いし、ＵＳＢ（Ｕｎｉｖｅｒｓａｌ  Ｓｅｒｉａｌ  Ｂｕｓ）メモリーなどの外部の記憶媒体からＭＦＰ２０に追加でインストールされても良いし、ネットワーク上からＭＦＰ２０に追加でインストールされても良い。
【００２６】
制御部２９は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２８に記憶されているプログラムを実行する。
【００２７】
制御部２９は、顔認証プログラム２８ａを実行することによって、顔認証用に撮影デバイス２７を顔認証プログラム２８ａの起動時に設定する撮影デバイス設定手段２９ａと、顔認証サーバー３０との通信部２６経由の通信の設定を顔認証プログラム２８ａの起動時に実行する通信設定手段２９ｂと、顔認証を特定の間隔で実行する顔認証実行手段２９ｃと、顔認証の結果に基づいてログインを許可するログイン許可手段２９ｄとを実現する。
【００２８】
次に、顔認証システム１０の動作について説明する。
【００２９】
まず、顔認証プログラム２８ａの起動時のＭＦＰ２０の動作について説明する。
【００３０】
図３は、顔認証プログラム２８ａの起動時のＭＦＰ２０の動作のフローチャートである。
【００３１】
ＭＦＰ２０の制御部２９は、ＭＦＰ２０が起動されると、顔認証プログラム２８ａを起動する。制御部２９は、顔認証プログラム２８ａを起動することによって、図３に示す動作を開始する。
【００３２】
図３に示すように、撮影デバイス設定手段２９ａは、顔認証用に撮影デバイス２７を設定する（Ｓ１０１）。例えば、撮影デバイス設定手段２９ａは、顔認証用の設定として、撮影デバイス２７の明るさ、露出、画像サイズなどの設定を実行する。
【００３３】
次いで、通信設定手段２９ｂは、顔認証サーバー３０との通信部２６経由の通信の設定を実行する（Ｓ１０２）。例えば、通信設定手段２９ｂは、顔認証サーバー３０との通信用のソケットを作成する。
【００３４】
制御部２９は、Ｓ１０２の処理の後、図３に示す動作を終了する。
【００３５】
次に、顔認証実行手段２９ｃの動作について説明する。
【００３６】
図４は、顔認証実行手段２９ｃの動作のフローチャートである。
【００３７】
顔認証実行手段２９ｃは、顔認証プログラム２８ａが起動された後、図４に示す動作を実行する。
【００３８】
図４に示すように、顔認証実行手段２９ｃは、顔認証を実行する（Ｓ１２１）。具体的には、顔認証実行手段２９ｃは、Ｓ１２１において、撮影デバイス２７によって撮影された画像を通信部２６経由で顔認証サーバー３０に送信することによって顔認証を顔認証サーバー３０に依頼し、顔認証サーバー３０による顔認証の結果を顔認証サーバー３０から受信する。
【００３９】
次いで、顔認証実行手段２９ｃは、Ｓ１２１において実行した顔認証の結果をログイン許可手段２９ｄに通知する（Ｓ１２２）。
【００４０】
次いで、顔認証実行手段２９ｃは、いずれかの利用者のログイン中であるか否かを判断する（Ｓ１２３）。
【００４１】
顔認証実行手段２９ｃは、いずれの利用者もログイン中ではないとＳ１２３において判断すると、顔認証の実行間隔を示す実行間隔情報に第１の間隔を設定する（Ｓ１２４）。
【００４２】
顔認証実行手段２９ｃは、いずれかの利用者のログイン中であるとＳ１２３において判断すると、第１の間隔より長い第２の間隔を実行間隔情報に設定する（Ｓ１２５）。
【００４３】
顔認証実行手段２９ｃは、Ｓ１２４またはＳ１２５の処理の後、実行間隔情報に示される時間間隔分の時間が前回の顔認証の処理から経過したか否かを判断する（Ｓ１２６）。
【００４４】
顔認証実行手段２９ｃは、実行間隔情報に示される時間間隔分の時間が前回の顔認証の処理から経過していないとＳ１２６において判断すると、Ｓ１２３の処理を実行する。
【００４５】
顔認証実行手段２９ｃは、実行間隔情報に示される時間間隔分の時間が前回の顔認証の処理から経過したとＳ１２６において判断すると、Ｓ１２１の処理を実行する。
【００４６】
次に、ログイン許可手段２９ｄの動作について説明する。
【００４７】
図５は、ログイン許可手段２９ｄの動作のフローチャートである。
【００４８】
ログイン許可手段２９ｄは、顔認証実行手段２９ｃから顔認証の結果が通知されると、図５に示す動作を実行する。
【００４９】
図５に示すように、ログイン許可手段２９ｄは、いずれかの利用者のログイン中であるか否かを判断する（Ｓ１４１）。
【００５０】
ログイン許可手段２９ｄは、いずれかの利用者のログイン中であるとＳ１４１において判断すると、図５に示す動作を終了する。
【００５１】
ログイン許可手段２９ｄは、いずれの利用者もログイン中ではないとＳ１４１において判断すると、顔認証実行手段２９ｃから通知された顔認証の結果が認証成功であるか否かを判断する（Ｓ１４２）。
【００５２】
ログイン許可手段２９ｄは、顔認証の結果が認証成功ではない、すなわち、認証失敗であるとＳ１４２において判断すると、図５に示す動作を終了する。
【００５３】
ログイン許可手段２９ｄは、顔認証の結果が認証成功であるとＳ１４２において判断すると、利用者のログインを許可する（Ｓ１４３）。具体的には、ログイン許可手段２９ｄは、Ｓ１４３において、操作部２１を介した操作の受け付けを開始する。したがって、利用者は、例えばコピー機能など、ＭＦＰ２０における様々な機能を、ＭＦＰ２０に実行させることができるようになる。
【００５４】
ログイン許可手段２９ｄは、Ｓ１４３の処理の後、図５に示す動作を終了する。
【００５５】
以上に説明したように、ＭＦＰ２０は、ログインを許可してからログアウトがされるまでの間（Ｓ１４１でＹＥＳ）、顔認証の結果に基づいたログインの許可（Ｓ１４３）を停止するので、ログインを許可した後に顔認証プログラム２８ａの実行を停止する必要がなく、その結果、ログアウトがされた後に顔認証プログラム２８ａを再び起動する必要もない。したがって、ＭＦＰ２０は、ログアウトがされた後に顔認証用に撮影デバイス２７を設定する（Ｓ１０１）必要がないし、顔認証サーバー３０との通信部２６経由の通信の設定（Ｓ１０２）をログアウトがされた後に実行する必要もないので、ログアウトがされた後に迅速に顔認証を実行することができる。
【００５６】
ＭＦＰ２０は、ログインを許可してからログアウトがされるまでの間の顔認証の実行間隔を、ログアウトがされてからログインを許可するまでの間の顔認証の実行間隔より長くする（Ｓ１２３〜Ｓ１２６）ので、ログインを許可してからログアウトがされるまでの間において、顔認証の実行による処理負担を軽減することができる。
【００５７】
なお、ＭＦＰ２０は、ログインを許可してからログアウトがされるまでの間の顔認証の実行間隔と、ログアウトがされてからログインを許可するまでの間の顔認証の実行間隔とを変更しない構成であっても良い。
【００５８】
ＭＦＰ２０は、本実施の形態において、顔認証を顔認証サーバー３０に依頼する。しかしながら、ＭＦＰ２０は、顔認証サーバー３０における顔認証の機能をＭＦＰ２０自身で備えれば、顔認証を顔認証サーバー３０に依頼しなくても良い。
【００５９】
本発明の電子機器は、本実施の形態においてＭＦＰであるが、プリンター専用機など、ＭＦＰ以外の画像形成装置でも良いし、ＰＣ（Ｐｅｒｓｏｎａｌ  Ｃｏｍｐｕｔｅｒ）など、画像形成装置以外の電子機器でも良い。
【符号の説明】
【００６０】
２０  ＭＦＰ（電子機器）
２６  通信部（通信デバイス）
２７  撮影デバイス
２８  記憶部（記憶デバイス）
２８ａ  顔認証プログラム
２９  制御部
２９ａ  撮影デバイス設定手段
２９ｂ  通信設定手段
２９ｃ  顔認証実行手段
２９ｄ  ログイン許可手段
３０  顔認証サーバー
【図１】
2019057154.tif 000003
【図２】
2019057154.tif 000004
【図３】
2019057154.tif 000005
【図４】
2019057154.tif 000006
【図５】
2019057154.tif 000007